(57)【要約】  意匠性の高い空気清浄機を提供する。このため本発明に係る空気清浄機は、本体の後面を構成する後面カバー（６）と、側面カバー（４）と、を備える。側面カバー（４）は、後面カバー（６）に係合させて取り付けられる。側面カバー（４）には、第１の開口（４ｋ）を有する係合片（４ｄ）が設けられる。後面カバー（６）には、第２の開口（６ｂ）と突起部（６ｈ）とが設けられる。係合片（４ｄ）を第２の開口（６ｂ）に挿入した状態で側面カバー（４）を取り付け位置まで回動させると、突起部（６ｈ）と第１の開口（４ｋ）が係合する。
2016147515.tif 000002
【特許請求の範囲】
【請求項１】
本体の内部に配置された本体ケースに複数のネジで取り付けられ、前記本体の後面を構成する後面カバーと、
前記後面カバーに係合させて取り付ける側面カバーと、
を備え、
前記側面カバーには、第１の開口を有する係合片が設けられ、
前記後面カバーには、前記係合片を挿入する第２の開口と、前記第１の開口と係合する突起部が設けられ、
前記係合片を前記第２の開口に挿入した状態で前記側面カバーを取り付け位置まで回動させると、前記突起部と前記第１の開口が係合する空気清浄機。
【請求項２】
前記側面カバーが前記後面カバーに取り付けられた状態で、前記後面カバーを前記本体ケースに取り付けた複数のネジは、前記側面カバーの一部で覆われる請求項１に記載の空気清浄機。
【請求項３】
前記本体の前面に着脱自在に取り付けられる前面パネルを備え、
前記側面カバーが前記後面カバーに取り付けられた状態で、前記側面カバーは前面側から複数のネジで前記本体ケースに取り付けられ、
前記前面パネルを取り付けた状態で、前記側面カバーを前記本体ケースに前面側から取り付けた複数のネジは、前記前面パネルの一部で覆われる請求項１または請求項２に記載の空気清浄機。
【請求項４】
前記本体の内部に設けられ、室内の空気を吸気するファンを備え、
前記側面カバーは前側端部に上下方向に長い凹部を備え、
前記凹部と前記前面パネルの一部とは、前記ファンが吸気する空気の吸気口を構成する請求項３に記載の空気清浄機。
【請求項５】
前記側面カバーは、前記本体の内部側に侵入する前後方向に長い凹状の手掛け部を備える請求項１から請求項４の何れか１項に記載の空気清浄機。
【請求項６】
前記手掛け部の壁面に、前記側面カバーを前記本体ケースに取り付けるネジが挿入されるネジ受け部を設けた請求項５に記載の空気清浄機。
【請求項７】
前記ネジ受け部は、前記側面カバーを前記本体ケースに前記ネジ受け部に挿入されるネジで取り付けた状態で、前記ネジ受け部に挿入されたネジの頭が前記手掛け部の前記壁面から突出しないようにするネジ頭収容部を備える請求項６に記載の空気清浄機。
【発明の詳細な説明】
【技術分野】
【０００１】
本発明は、室内の空気を清浄する空気清浄機に関する。
【背景技術】
【０００２】
従来、樹脂で一体成形した部品で、本体の側面と後面を構成している空気清浄機が知られている。（例えば、特許文献１参照）。
【先行技術文献】
【特許文献】
【０００３】
【特許文献１】日本特開２０１４−１０８３７１号公報
【発明の概要】
【発明が解決しようとする課題】
【０００４】
特許文献１に記載の空気清浄機のように、本体の側面と後面を樹脂で一体成形した部品を用いる場合、深さの有る樹脂成形であるので、金型が抜けやすいよう金型の抜き方向に大きめの勾配をとる必要がある。【０００５】
よって、抜き勾配により開放側に向かって大きくなる台形状となるので、台形の小さい部分に本体内構造物を収容すると、どうしても開放側は必要以上に大きくなってしまい、外観の意匠性が損なわれる。【０００６】
台形状にならないように側面と後面を構成するには別部品にして取り付ける必要があるが、側面及び後面からネジ止めしなければならず、外観にネジが露出することにより意匠性が損なわれる。ネジを隠すこともできるが、そのための部品が追加となりコストアップの要因となる。【０００７】
本発明は、かかる課題を解決するために、意匠性の高い空気清浄機を提供することを目的とする。
【課題を解決するための手段】
【０００８】
課題を解決する本発明に係る空気清浄機は、本体の内部に配置された本体ケースに複数のネジで取り付けられ、本体の後面を構成する後面カバーと、後面カバーに係合させて取り付ける側面カバーと、を備え、側面カバーには、第１の開口を有する係合片が設けられ、後面カバーには、係合片を挿入する第２の開口と、第１の開口と係合する突起部が設けられ、係合片を第２の開口に挿入した状態で側面カバーを取り付け位置まで回動させると、突起部と第１の開口が係合するものである。
【発明の効果】
【０００９】
本発明によれば、側面カバーには、第１の開口を有する係合片が設けられ、後面カバーには、係合片を挿入する第２の開口と、第１の開口と係合する突起部が設けられ、係合片を第２の開口に挿入した状態で側面カバーを取り付け位置まで回動させると、突起部と前記第１の開口が係合するようにして本体の後面カバーに側面カバーを取り付けるようにしたので、側面カバーを後面カバーに取り付けるときにネジを必要としないため、ネジが外観に露出することがない。よって、意匠性の高い空気清浄機を提供することができる。
【図面の簡単な説明】
【００１０】
【図１】本発明の実施の形態１に係る空気清浄機の概略構成を示す斜視図である。
【図２】本発明の実施の形態１に係る空気清浄機を、図１に示す断面Ａ−Ａで切断した断面図である。
【図３】本発明の実施の形態１に係る空気清浄機の分解斜視図である。
【図４】本発明の実施の形態１に係る空気清浄機の、ステッピングモータが取り付けられた空気清浄機本体支持台の斜視図である。
【図５】本発明の実施の形態１に係る空気清浄機の空気清浄機本体支持台の分解斜視図である。
【図６】本発明の実施の形態１に係る空気清浄機の空気清浄機本体支持台の上方から見た平面図（ａ）及び図６の平面図（ａ）に示す断面Ｂ−Ｂで切断した断面図（ｂ）である。
【図７】本発明の実施の形態１に係る空気清浄機が基準状態の位置を検出しているときの位置検出手段の状態図（ａ）及び本発明の実施の形態１に係る空気清浄機が基準状態の位置から左向き（図１の図示Ｌ方向）に回動した位置を検出しているときの位置検出手段の状態図（ｂ）及び本発明の実施の形態１に係る空気清浄機が図７の状態図（ｂ）の状態の位置からさらに左向きに回動した位置を検出しているときの位置検出手段の状態図（ｃ）である。
【図８】本発明の実施の形態１に係る空気清浄機の側面カバーがない状態を背面側から見た斜視図（ａ）及び本発明の実施の形態１に係る空気清浄機を背面側から見た斜視図（ｂ）である。
【図９】本発明の実施の形態１に係る空気清浄機の後面カバーと側面カバーを、係合箇所を通る位置で切断した後面カバーと側面カバーの係合途中の断面図（ａ）及び図９の断面図（ａ）の要部拡大図（ｂ）である。
【図１０】本発明の実施の形態１に係る空気清浄機の後面カバーと側面カバーを、係合箇所を通る位置で切断した後面カバーと側面カバーの係合状態の断面図（ａ）及び図１０の断面図（ａ）の要部拡大図（ｂ）である。
【図１１】本発明の実施の形態１に係る空気清浄機の図１０に示す後面カバーと側面カバーの係合状態の斜視図である。
【図１２】本発明の実施の形態１に係る空気清浄機の前面パネルがない状態を前面側から見た斜視図（ａ）及び本発明の実施の形態１に係る空気清浄機を前面側から見た斜視図（ｂ）である。
【図１３】側面カバーの手掛け部に設けられたネジ受け部の概略図である。
【図１４】本発明の実施の形態１に係る空気清浄機の概略ブロック図である。
【発明を実施するための形態】
【００１１】
実施の形態１．
（空気清浄機の本体構造と本体の支持台構造）
本発明の実施の形態１に係る空気清浄機について、図１から図７に従って説明する。なお、それぞれの図において、同じ部分または相当する部分には同じ符号を付し、一部の説明を省略することがある。
【００１２】
空気清浄機１００は、本体１と支持台２で構成されている。本体１は、図１に示すように縦方向に長い直方体状である。その直方体状の本体１の下方に支持台２が設けられている。支持台２は、本体１が向きを変えられるよう回動可能に支持している。本体１は後述するステッピングモータ（駆動モータ）８２によって回動するようになっている。
【００１３】
支持台２は、図４、図５、図６に示すように左右方向が長手、前後方向が短手の平たい直方体のベース台７１を備えている。ベース台７１には、円形状の凹部７１ｊが設けられている。この円形状の凹部７１ｊの中心には、中空で先端が開口している回動中心軸ガイド７３が設けられている。この回動中心軸ガイド７３に回動中心軸７６がネジのような締結部品で取り付けられる。回動中心軸７６は摺動性の高い樹脂、例えばポリアセタール（ＰＯＭ）樹脂で形成されている。
【００１４】
図４、図５、図６において、２９は樹脂成形で形成された下部本体ケースであり、下部本体ケース２９の外周から外側へ突出したフランジ２９ｇとフランジ２９ｈを、図３に示す前部本体ケース７の下部と後部本体ケース８の下部で前後から挟むように固定され、図１及び図２のように本体１に取り付けられて本体１の下端を構成する。
【００１５】
下部本体ケース２９には、金属で円盤状に形成され、その円盤状内に開口７４ａが設けられ環状となった摺動板７４が、取り付けられている。下部本体ケース２９は、その下端が摺動板７４の開口７４ａから下方に突出している。下部本体ケース２９は、摺動板７４の上面とフランジ２９ｇとフランジ２９ｈの下面が当接する位置で、下部本体ケース２９と摺動板７４が構造体として一体となるようにネジ（締結部品）で取り付けられる。
【００１６】
摺動板７４は、ベース台７１の上面から一段低くなった段部７１ｇに収容され、ベース台７１に設けられた複数の摺動板押さえ保持部７１ａに、それと同数の摺動板押さえ７５がネジ（締結部品）で取り付けられることで、下部本体ケース２９がベース台７１から抜けないよう摺動板７４の上面から一段下がった外周の一部が押さえられている。但し、摺動板７４は可動不可能な状態で固定されている訳ではなく、微小な隙間を有して回動自在に押さえられている。
【００１７】
摺動板７４が微小な隙間を有して回動自在に押さえられていることにより、摺動板７４が浮き上がることなく、下部本体ケース２９がベース台７１から抜けない。このため、本体１の傾き、ふらつきを抑制できる。
【００１８】
摺動板７４の外周全周には、下方に折れ曲がった縁部７４ｂが形成されている。ベース台７１の上面から一段低くなった段部７１ｇの外周には、全周にわたって環状凹部７１ｈが設けられている。摺動板７４が段部７１ｇに収容された状態で、縁部７４ｂが全周にわたって環状凹部７１ｈに入り込むインロー構造になっている。
【００１９】
この構造により、ベース台７１の段部７１ｇ及び凹部７１ｊに塵埃等、異物が侵入しにくくなっている。また、前述のように摺動板７４は摺動板押さえ７５で浮き上がらないように押さえられているので、より確実に塵埃等、異物が侵入しにくい構造となっている。
【００２０】
このように塵埃等、異物が侵入しにくい構造とすることで、後述する本体１の回動を補助する支持台側車輪７８に塵埃が絡まって動作に支障をきたすことがないようにしている。また、ステッピングモータ（駆動モータ）８２やピニオンギア８４等の本体１を回動させる部品の動作にも支障をきたすことがないようにしている。
【００２１】
下部本体ケース２９には中心部に回動中心軸受け２９ｆが設けられている。下部本体ケース２９がベース台７１に取り付けられるときに回動中心軸受け２９ｆは回動中心軸７６に回動自在に挿入される。下部本体ケース２９は回動中心軸７６に挿入され、回動中心軸受け２９ｆの側面に設けられた横穴から回動中心軸７６に設けられた溝状凹部７６ａを挟み込むようにストッパー７９が取り付けられる。ストッパー７９は、ベース台７１から下部本体ケース２９が抜けることを防止している。
【００２２】
前述したように回動中心軸ガイド７３は先端が開口している。この開口は商用電源から駆動電力を供給するための電源コード５５の接続端子側を本体１内に通すようになっている。回動中心軸ガイド７３は回動する本体１の回動中心であり、電源コード５５は回動中心を通って図示しない接続線で制御基板４９と接続される。これにより、支持台２に対して本体１が回動しても電源コード５５や図示しない接続線の屈曲が抑えられ、断線を起こし難い構成となっている。
【００２３】
下部本体ケース２９に設けられた、下方から上方へ向かって突出している（下側から見れば凹んでいる）駆動ユニット支持部２９ａに本体回動駆動ユニット８１が下方からネジ（締結部品）で取り付けられる。本体回動駆動ユニット８１は、パルス数で回転速度を容易に変えられるステッピングモータ（駆動モータ）８２、連結軸８３、ピニオンギア８４、軸受け８５から構成されている。
【００２４】
連結軸８３はピニオンギア８４に、ステッピングモータ（駆動モータ）８２の駆動トルクを伝達するものである。連結軸８３はピニオンギア８４と連結され、一端がステッピングモータ（駆動モータ）８２と連結し、他端は保持部材８６に取り付けられた軸受け８５に回動自在に支持される。
【００２５】
また、下部本体ケース２９には、ベース台７１の凹部７１ｊに収容される位置、言い替えると下端に、複数の本体側車輪（第１の車輪）７７と同数の本体側車輪保持部２９ｅが設けられている。本体側車輪保持部２９ｅは、複数の本体側車輪（第１の車輪）７７を回転自在に保持する。本体側車輪保持部２９ｅは下面側から本体側車輪（第１の車輪）７７を挿入するようになっている。本体側車輪（第１の車輪）７７は、保持された状態で一部が下部本体ケース２９の下面から突出している。
【００２６】
本体側車輪（第１の車輪）７７は下部本体ケース２９の本体側車輪保持部２９ｅに保持される。本体側車輪（第１の車輪）７７は、図２、図６（ｂ）に示すようにベース台７１の凹部７１ｊの底面７１ｋと接地して本体１を支持し、本体１の回動に合わせて回転している。
【００２７】
ベース台７１には、回動中心軸７６の中心からの距離が本体側車輪（第１の車輪）７７よりも外側で、本体側車輪（第１の車輪）７７の保持位置よりも上方の位置に、複数の支持台側車輪（第２の車輪）７８と同数の支持台側車輪保持部７１ｆが設けられている。支持台側車輪保持部７１ｆは、複数の支持台側車輪（第２の車輪）７８を回転自在に保持する。
【００２８】
支持台側車輪保持部７１ｆはベース台７１上面の段部７１ｇで、環状凹部７１ｈの直ぐ内側に設けられている。支持台側車輪保持部７１ｆは、段部７１ｇの上面側から支持台側車輪（第２の車輪）７８を挿入するようになっている。支持台側車輪（第２の車輪）７８は保持された状態で一部が段部７１ｇの上面から突出している。
【００２９】
支持台側車輪（第２の車輪）７８は支持台側車輪保持部７１ｆに保持される。支持台側車輪（第２の車輪）７８は、図２、図６（ｂ）に示すように摺動板７４の下面側に当接して本体１を支持し、本体１の回動に合わせて回転している。
【００３０】
図２、図６（ｂ）に示すように、下部本体ケース２９はベース台７１の凹部７１ｊに入り込んでいる。本体１は、下部本体ケース２９の下面から一部が突出している本体側車輪（第１の車輪）７７がベース台７１の凹部７１ｊの底面７１ｋと接地して支持されている。
【００３１】
また、本体１は、下部本体ケース２９に取り付けられている摺動板７４が、ベース台７１の段部７１ｇの上面から一部が突出している支持台側車輪（第２の車輪）７８と当接して支持されている。このように、本体１は、ベース台７１の凹部７１ｊの底面７１ｋとベース台７１上面の段部７１ｇとで支持されるので、本体１の回動が安定する。
【００３２】
次に、ベース台７１の凹部の縁部の内周壁に沿ってラックギア７２が設けられている。下部本体ケース２９の回動中心軸受け２９ｆが回動中心軸７６に挿入され、摺動板７４が摺動板押さえ７５で回動自在に押さえられ、下部本体ケース２９が抜けないようにストッパー７９が取り付けられた状態で、ラックギア７２と本体回動駆動ユニット８１のピニオンギア８４が噛み合うようになっている。
【００３３】
次に、下部本体ケース２９には、例えばフォトインタラプタからなる位置検出手段８０ａ、８０ｂ、８０ｃがそれぞれ位置検出手段保持部２９ｂ、２９ｃ、２９ｄに保持されている。
【００３４】
フォトインタラプタは発光部と受光部を有している。フォトインタラプタは発光部が発した光を受光部が受光できる状態か、受光できない状態かによって検知をするセンサーである。位置検出手段８０ａ、８０ｂ、８０ｃは、その発光部と受光部の中間位置が回動中心軸７６の中心から同一円上に等間隔となるように配置されている。
【００３５】
ベース台７１には位置検出手段８０ａ、８０ｂ、８０ｃの発光部と受光部を遮るためのリブ状の遮断壁７１ｂが底面から上方に突出して設けられている。遮断壁７１ｂは回動中心軸７６の中心から同一円上に設けられている円弧状で、位置検出手段８０ａ、８０ｂ、８０ｃの発光部と受光部の中間位置と同心円上で重なるように設けられている。遮断壁７１ｂには、位置検出手段８０ａ、８０ｂ、８０ｃの発光部の発した光が通過可能な位置検出用スリット７１ｃ、７１ｄ、７１ｅが等間隔に設けられている。
【００３６】
図１に示すように前面パネル３と、支持台２のベース台７１の左右長手方向の１辺が平行になっている状態が、本体１が基準状態の位置にあるとする。その状態で位置検出手段８０ａは位置検出用スリット７１ｃと、位置検出手段８０ｂは位置検出用スリット７１ｄと、位置検出手段８０ｃは位置検出用スリット７１ｅと、それぞれ対応して配置されている。
【００３７】
この状態のとき、位置検出手段８０ａ、８０ｂ、８０ｃは全て発光部が発した光を受光部が受光できる状態である。よって、位置検出手段８０ａ、８０ｂ、８０ｃ全てが受光できる状態にあるときに、本体１が基準状態の位置にあると判断ができる。
【００３８】
図７を用いて更に詳しく説明する。図７（ａ）は本体１が基準状態の位置にあるときの位置検出手段８０ａ、８０ｂ、８０ｃと位置検出用スリット７１ｃ、７１ｄ、７１ｅの位置関係を表している。
【００３９】
それぞれ、位置検出手段８０ａの発光部の発した光が位置検出用スリット７１ｃを通過して位置検出手段８０ａの受光部で受光可能な位置、位置検出手段８０ｂの発光部の発した光が位置検出用スリット７１ｄを通過して位置検出手段８０ｂの受光部で受光可能な位置、位置検出手段８０ｃの発光部の発した光が位置検出用スリット７１ｅを通過して位置検出手段８０ｃの受光部で受光可能な位置となっている。
【００４０】
図７（ｂ）は、本体１が左向き（図１の図示Ｌ方向）に回動しているときの位置検出手段８０ａ、８０ｂ、８０ｃと位置検出用スリット７１ｃ、７１ｄ、７１ｅの位置関係である。位置検出手段８０ａは位置検出用スリット７１ｄによって、位置検出手段８０ｂは位置検出用スリット７１ｅによって受光が可能であるが、位置検出手段８０ｃは位置検出用スリットから外れ、遮断壁７１ｂによって光が遮られ受光不可能となっている。
【００４１】
図７（ｃ）は、図７（ｂ）の状態よりも、さらに本体１が左向きに回動しているときの位置検出手段８０ａ、８０ｂ、８０ｃと位置検出用スリット７１ｃ、７１ｄ、７１ｅの位置関係である。位置検出手段８０ａは位置検出用スリット７１ｅによって受光が可能であるが、位置検出手段８０ｂ及び位置検出手段８０ｃは位置検出用スリットから外れ、遮断壁７１ｂによって光が遮られ受光不可能となっている。
【００４２】
このように、位置検出手段８０ａ、８０ｂ、８０ｃの受光状態の組み合わせで、本体１が左、あるいは右にどの程度回動しているか判断することができる。つまり、位置検出手段８０ａ、８０ｂ、８０ｃは全て発光部が発した光を受光部が受光できる状態になければ本体１が基準状態の位置にないと判断できる。これにより本体１を位置検出手段８０ａ、８０ｂ、８０ｃの全て受光できる位置まで戻るように回動させることで本体１を基準状態の位置に戻すことができる。
【００４３】
次に、図３に示すように、本体１は直方体状の長手の４面をカバー部材で覆う構成となっている。詳しくは前面を前面パネル３、側面を側面カバー４、側面カバー５、後面を後面カバー６という、それぞれ樹脂成形で一体形成されたカバー部材で覆われている。
【００４４】
４面を前面パネル３、側面カバー４、側面カバー５、後面カバー６で覆われた内部には、本体１の主要構造物として、前部本体ケース７と後部本体ケース８を備えている。前部本体ケース７と後部本体ケース８は、それぞれ樹脂成形で一体形成されている。
【００４５】
後部本体ケース８には、ファン２１、ファン用モータ２２、モータ保持部材２３からなる上方ファンユニット９、ファン２４、ファン用モータ２５、モータ保持部材２６からなる下方ファンユニット１０がそれぞれ取り付けられる。
【００４６】
上方ファンユニット９のファン用モータ２２は、上ファンケーシング８ａの上ファンケーシング後面板８ｂに設けられた上ファンケーシング後面板凹部８ｃに一部が入り込むようにして、モータ保持部材２３の図示しない穴からファン用モータ回転軸２２ａを通過させ、モータ保持部材２３で保持される。その後、モータ保持部材２３は図示しないネジ（締結部品）で上ファンケーシング後面板凹部８ｃに固定される。
【００４７】
そして、ファン用モータ回転軸２２ａにファン２１のふらつきを防止するためのワッシャー２７ａ、ファン２１、ファン２１のふらつきを防止するためのワッシャー２７ｂが通され、図２に示すナット２８でファン用モータ回転軸２２ａにファン２１が固定されることで上方ファンユニット９が構成される。
【００４８】
同様に、下方ファンユニット１０のファン用モータ２５は、下ファンケーシング８ｄの下ファンケーシング後面板８ｅに設けられた下ファンケーシング後面板凹部８ｆに一部が入り込むようにして、モータ保持部材２６の図示しない穴からファン用モータ回転軸２５ａを通過させ、モータ保持部材２６で保持される。その後、モータ保持部材２６は図示しないネジ（締結部品）で下ファンケーシング後面板凹部８ｆに固定される。
【００４９】
そして、ファン用モータ回転軸２５ａにファン２４のふらつきを防止するためのワッシャー２７ａ、ファン２４、ファン２４のふらつきを防止するためのワッシャー２７ｂが通され、図２に示すナット２８でファン用モータ回転軸２５ａにファン２４が固定されることで下方ファンユニット１０が構成される。
【００５０】
上方ファンユニット９及び下方ファンユニット１０が取り付けられた後部本体ケース８の前方に前部本体ケース７が図示しないネジ（締結部品）で取り付けられる。このとき、下部本体ケース２９の外周から外側へ突出したフランジ２９ｇとフランジ２９ｈは後部本体ケース８の下部と前部本体ケース７の下部で前後から挟まれるように固定される。後部本体ケース８と前部本体ケース７と下部本体ケース２９は一体化される。後部本体ケース８と前部本体ケース７と下部本体ケース２９が一体化された状態を本体ケース１２とする。
【００５１】
前部本体ケース７は、上ファンケーシング８ａを覆う上ファンケーシングカバー７ａと、下ファンケーシング８ｄを覆う下ファンケーシングカバー７ｃを備える。上ファンケーシングカバー７ａには、上方ファンユニット９に空気を供給するための上ファンケーシングカバー開口７ｂが設けられている。下ファンケーシングカバー７ｃには、下方ファンユニット１０に空気を供給するための下ファンケーシングカバー開口７ｄが設けられている。
【００５２】
上方ファンユニット９のファン２１は、回転軸の軸線前方向から吸気して遠心方向に送出する多翼遠心ファンであるシロッコファンである。上ファンケーシング８ａと上ファンケーシングカバー７ａによって、上方ファンユニット９が送風するためのスクロール空間が形成されている。
【００５３】
同様に、下方ファンユニット１０のファン２４もシロッコファンである。下ファンケーシング８ｄと下ファンケーシングカバー７ｃによって、下方ファンユニット１０が送風するためのスクロール空間が形成されている。
【００５４】
図２に示すように、上ファンケーシング８ａと上ファンケーシングカバー７ａで形成されたスクロール空間の上方には、上方ファンユニット９が回転軸の軸線前方向にある上ファンケーシングカバー開口７ｂから吸込んだ空気を遠心方向に送出するための前側送出口６４が設けられている。
【００５５】
下ファンケーシング８ｄと下ファンケーシングカバー７ｃで形成されたスクロール空間の上方には通風路６６が設けられている。通風路６６は、図８（ａ）に示すように後部本体ケース８に後面カバー６が複数のネジ（締結部品）１１で取り付けられることで、後部本体ケース８の上ファンケーシング後面板８ｂと後面カバー６とで形成される。
【００５６】
通風路６６は、下方ファンユニット１０が吸込んだ空気を、上ファンケーシング８ａと上ファンケーシングカバー７ａで形成されたスクロール空間の背面を通過させて、前側送出口６４と同じ高さの位置に設けられた後側送出口６５まで導く風路である。
【００５７】
下ファンケーシング８ｄと下ファンケーシングカバー７ｃで形成されたスクロール空間は、上ファンケーシング８ａと上ファンケーシングカバー７ａで形成されたスクロール空間に対し、通風路６６に寄った位置である後方側にずらして配置されている。
【００５８】
この配置により、下ファンケーシング８ｄと下ファンケーシングカバー７ｃで形成されたスクロール空間から通風路６６に至る経路が急激に曲がることなく空気の流れる風路圧損を小さくすることができる。
【００５９】
前側送出口６４と後側送出口６５の上方にはガードネット３１が取り付けられている。ガードネット３１は、上ファンケーシング８ａと上ファンケーシングカバー７ａで形成されたスクロール空間及び通風路６６を経由して下ファンケーシング８ｄと下ファンケーシングカバー７ｃで形成されたスクロール空間に異物が入り込まないようにするとともに、ファン２１のような回転物に指が触れないように保護するものである。
【００６０】
ガードネット３１の上方には、上部ユニット４０が設けられている。上部ユニット４０は、前側ルーバー６２と後側ルーバー６３及び、それらを駆動する前側ルーバー駆動モータ５４ａと後側ルーバー駆動モータ５４ｂを備えている。
【００６１】
前側ルーバー６２は、前側送出口６４から送出された上方ファンユニット９の大半の送出空気を前方斜め上方から上方の範囲、例えば前方斜め上方４５度から９０度の範囲に送風するためのものである。同様に後側ルーバー６３は、後側送出口６５から送出された下方ファンユニット１０の大半の送出空気を前方斜め上方から上方の範囲、例えば前方斜め上方４５度から９０度の範囲に送風するためのものである。前側ルーバー６２及び後側ルーバー６３は、空気清浄機１００が稼働していないときは図１２（ｂ）のように閉じているが、稼働するときに図１のように開くようになっている。
【００６２】
さらに、上部ユニット４０は人検出センサー４５を備えている。人検出センサー４５は、空気清浄機１００が吸込んで送出する空気の送出方向を決定するために、空気清浄機１００が置かれている居室にいる人間の位置を検出するものである。これにより人間が検出された位置に向かって送出する空気の送出方向が変更されている。
【００６３】
詳しくは、人間がいる位置の方向に本体１の前面パネル３が向くように、本体１が回動されて空気の送出方向が変更されている。なお、本体１を回動させて空気の送出方向を変更することについては後段で説明する。
【００６４】
上部ユニット４０の上面前方には操作表示部４１が設けられている。操作表示部４１は操作基板ユニット４２と複数の操作スイッチ４３及び意匠シート４４で構成されている。空気清浄機１００を稼働させるための各種選定等の入力は操作スイッチ４３で行われる。操作基板ユニット４２からの操作信号が、図示しない信号線で操作基板ユニット４２から接続されている制御基板４９に送られる。また、入力情報や稼働状況を、図示しない表示手段に表示する。
【００６５】
図３に示すように制御基板４９は、基板ケース４８と５０に組み込まれカバー４７と５１に覆われていて、制御基板ユニット４６を構成している。制御基板４９には、後述するマイコン４９ａ、基板に実装される電子部品で構成されている出力回路４９ｂ等で制御回路が構成されている。
【００６６】
基板ケース４８と５０は難燃性の樹脂で形成されている。カバー４７と５１は金属で形成されている。制御基板ユニット４６は、図３に示す上ファンケーシング８ａと上ファンケーシングカバー７ａで形成されたスクロール空間と下ファンケーシング８ｄと下ファンケーシングカバー７ｃで形成されたスクロール空間との間の、風路に影響を及ぼさない空間５３に収容される。
【００６７】
前述したように制御基板４９は、操作基板ユニット４２と図示しない接続線で接続されている。リード線カバー５２は、上方ファンユニット９から引き出された接続線がファン２１に触れないようにするように後部本体ケース８に取り付けられる。
【００６８】
また、制御基板４９と上方ファンユニット９及び下方ファンユニット１０は、図示しない接続線で接続され、駆動電力が供給されるようになっている。図示しない接続線は、スクロール空間等の風路と干渉しない前部本体ケース７及び後部本体ケース８と側面カバー４あるいは側面カバー５で形成される空間に収容される。
【００６９】
次に、側面カバー４、側面カバー５の取り付けについて説明する。図８（ａ）に示すように、後面カバー６が本体ケース１２に取り付けられている。後面カバー６には複数のネジ受け部６ａが設けられる。後面カバー６は、複数のネジ受け部６ａに、それと同数のネジ（締結部品）１１がそれぞれ挿入され、本体ケース１２に設けられた図示しないネジ座にねじ込まれて後面側から取り付けられている。このとき、ネジ（締結部品）１１は見えている。
【００７０】
なお、図８（ａ）では前面側からみて右側寄りに設けられたネジ受け部６ａと、そこに止められたネジ（締結部品）１１を示してあるが、前面側からみて左側寄りにも図示しないが同様に複数のネジ受け部が設けられており、そこにネジが止められている。
【００７１】
後面カバー６には図８（ａ）に示すように、前面側からみて右側寄りに複数のスリット状開口（第２の開口）６ｂ、６ｃ、６ｄ、６ｅ、６ｆ、６ｇが設けられている。スリット状開口（第２の開口）６ｂ、６ｃ、６ｄ、６ｅ、６ｆ、６ｇは上下方向に並んでいる。なお、図示しないが、前面側からみて左側寄りにも同様に複数のスリット状開口が設けられている。
【００７２】
側面カバー４には、図９（ｂ）に示すように、複数の係合片４ｄ、４ｅ、４ｆ、４ｇ、４ｈ、４ｊが設けられている。係合片４ｄ、４ｅ、４ｆ、４ｇ、４ｈ、４ｊは、後面カバー６のスリット状開口（第２の開口）６ｂ、６ｃ、６ｄ、６ｅ、６ｆ、６ｇと、それぞれ１対１で対応している。
【００７３】
係合片４ｄには係合片開口（第１の開口）４ｋが設けられている。係合片４ｅには係合片開口（第１の開口）４ｍが設けられている。係合片４ｆには係合片開口（第１の開口）４ｎが設けられている。係合片４ｇには係合片開口（第１の開口）４ｐが設けられている。係合片４ｈには係合片開口（第１の開口）４ｑが設けられている。係合片４ｊには係合片開口（第１の開口）４ｒが設けられている。
【００７４】
側面カバー４は前面側からみて右側に取り付けられる。まず、図９（ａ）、（ｂ）に示すように、側面カバー４の係合片４ｄ、４ｅ、４ｆ、４ｇ、４ｈ、４ｊを、対応する後面カバー６のスリット状開口（第２の開口）６ｂ、６ｃ、６ｄ、６ｅ、６ｆ、６ｇにそれぞれ挿入し、その後、図９（ａ）に示すＣ方向に側面カバー４を回動させる。
【００７５】
後面カバー６のスリット状開口（第２の開口）６ｂのそばには突起部６ｈが設けられている。スリット状開口（第２の開口）６ｃのそばには突起部６ｊが設けられている。スリット状開口（第２の開口）６ｄのそばには突起部６ｋが設けられている。スリット状開口（第２の開口）６ｅのそばには突起部６ｍが設けられている。スリット状開口（第２の開口）６ｆのそばには突起部６ｎが設けられている。スリット状開口（第２の開口）６ｇのそばには突起部６ｐが設けられている。
【００７６】
後面カバー６のスリット状開口（第２の開口）のそばに設けられた突起部６ｈ、６ｊ、６ｋ、６ｍ、６ｎ、６ｐは、側面カバー４の係合片に設けられた係合片開口（第１の開口）４ｋ、４ｍ、４ｎ、４ｐ、４ｑ、４ｒと、それぞれ１対１で対応している。
【００７７】
側面カバー４を回動させていくと、係合片開口（第１の開口）４ｋ、４ｍ、４ｎ、４ｐ、４ｑ、４ｒが、それぞれ対応する突起部６ｈ、６ｊ、６ｋ、６ｍ、６ｎ、６ｐに徐々に近づき、側面カバー４の回動が止まる位置、つまり、側面カバー４が固定される位置まで回動させると、図１０（ａ）、（ｂ）に示すようにそれぞれ嵌り込み、側面カバー４が抜けない係合状態となる。図１１は、図１０（ａ）、（ｂ）に示す背面カバーと側面カバーの係合状態の斜視図である。
【００７８】
このように、側面カバー４を取り付けることで、図１０（ｂ）に示すようにネジ受け部６ａに挿入され本体ケース１２に後面カバー６を取り付けているネジ（締結部品）１１のネジ頭１１ａは、側面カバー４によって覆われることになる。図８（ｂ）に示すように、本体ケース１２に後面カバー６を取り付けているネジ（締結部品）１１は外観から視認できなくなる。これにより、見映えが良くなるとともに、本体の外観は後面カバーと側面カバーで構成されることによって金型の抜き勾配を考慮する必要がなく、デザイン性を損なわない空気清浄機を得ることが出来る。
【００７９】
前面側からみて左側に取り付けられる側面カバー５も、同様に複数の係合片と係合片に設けられた係合片開口を有している。図示しない後面カバー６の前面側からみて左側寄りに設けられた複数のスリット状開口に、それに対応する係合片を挿入し、側面カバー５を側面カバー５が固定される位置まで回動させると、側面カバー５の係合片開口が、図示しないスリット状開口のそばに設けられた突起部に嵌り込み、側面カバー５が抜けない係合状態となる。
【００８０】
図示しないが、前面側からみて左側でも本体ケース１２に後面カバー６をネジで取り付けているので、側面カバー４と同様に側面カバー５もネジを覆い、ネジが外観から視認できなくなる。
【００８１】
次に、側面カバー４は、ネジ（締結部品）１１で本体ケース１２に取り付けられる。図１２（ａ）に示すように、側面カバー４は固定される位置において、前面側にネジ受け部４ｕ、４ｖが設けられており、ネジ（締結部品）１１がそれぞれ挿入され、本体ケース１２に設けられた図示しないネジ座にねじ込まれて前面側から取り付けられる。
【００８２】
同様に側面カバー５もネジ（締結部品）１１で本体ケース１２に取り付けられる。図１２（ａ）に示すように、側面カバー５は固定される位置において、前面側にネジ受け部５ｖ及び図示しないネジ受け部が設けられており、ネジ（締結部品）１１がそれぞれ挿入され、本体ケース１２に設けられた図示しないネジ座にねじ込まれて前面側から取り付けられる。
【００８３】
側面カバー４の上部には意匠シート４ｂが、側面カバー５の上部には意匠シート５ｂがそれぞれ設けられている。なお、意匠シート４ｂと５ｂは外観の質感を向上させるためのものであるが必ずしも必要ではなく、側面カバー４と５の上部をそのまま外観意匠としてもよい。
【００８４】
図１２（ａ）に示す、本体１の前面側に取り付けられたプレフィルター３６ａ、３６ｂの奥側には、図３に示すようにＨＥＰＡフィルター３５、脱臭フィルター３４が取り付けられている。
【００８５】
吸込んだ空気に含まれる大きめの塵埃をプレフィルター３６ａ、３６ｂで捕集し、さらにＨＥＰＡフィルター３５で、細かい塵埃を捕集し空気を浄化して排出する。脱臭フィルター３４は吸込んだ空気の臭気を吸着して臭いを低減させる機能を有している。
【００８６】
さらにその奥側で、上ファンケーシングカバー開口７ｂの前方には上方ファンガード３２が設けられている。下ファンケーシングカバー開口７ｄの前方には下方ファンガード３３が設けられている。
【００８７】
上方ファンガード３２及び下方ファンガード３３はスクロール空間に異物が入り込まないようにするとともに、ファン２１、ファン２４のような回転物に指が触れないように保護するものである。
【００８８】
図１２（ｂ）に示すように、これらフィルター類を前面側から覆う前面パネル３が着脱自在に取り付けられる。フィルター類の交換や清掃は、前面パネル３を取り外して簡単に行える。図１に示すように、前面パネル３の上方には凹状の落とし込みが設けられ、その中央に開口を有している。前面パネル３が取り付けられた状態で、その開口から人検出センサー４５が突出する。
【００８９】
前面パネル３を取り付けると、前面側から側面カバー４と５を取り付けたネジ（締結部品）１１は前面パネル３に覆われることになる。本体ケース１２に側面カバー４、５を取り付けているネジ（締結部品）１１は外観から視認できなくなり、見映えが良くなる。
【００９０】
図１２（ａ）に示すように側面カバー４には本体１の内部側に凹んだ凹状の手掛け部４ａが、同様に側面カバー５には凹状の手掛け部５ａ（図３参照）がそれぞれ設けられ、空気清浄機１００を移動するときに、そこに使用者が手を掛けて持ち運べるようになっている。手掛け部４ａ、手掛け部５ａはともに４つの側面と底面がある凹状をしているので、手が掛けやすくなっている。
【００９１】
図１１に示す、手掛け部４ａの、本体１の内部側に侵入している手掛け部壁面４ｔには、ネジ受け部４ｓが設けられている。図１３に示すように、このネジ受け部４ｓからネジ（締結部品）１１が挿入され、本体ケース１２に設けられたネジ座１２ａにねじ込まれて本体ケース１２に取り付けられる。
【００９２】
これは、手掛け部４ａに手を掛けて空気清浄機１００を移動するときに手掛け部４ａに荷重が掛かるので、手掛け部４ａを本体ケース１２と締結することにより強度を向上させるためのものである。図示しないが、側面カバー５の手掛け部５ａも、同様に本体ケース１２に締結され、手掛け部５ａの強度を向上させている。
【００９３】
それから、図１３に示すように、ネジ（締結部品）１１のネジ頭１１ａが、手掛け部壁面４ｔから一段下がった位置になっている。これによって、手掛け部４ａに手を掛けたとき、指がネジ（締結部品）１１に触ることがなく、空気清浄機１００を移動するときに不快に感じることがない。
【００９４】
図１２（ａ）に示すように、側面カバー４の前側には凹部４ｃが設けられている。同様に側面カバー５の前方には凹部５ｃが設けられている（図３参照）。図１２（ｂ）に示すように、前面パネル３と側面カバー４の前方の凹部４ｃで、上ファンケーシング８ａと上ファンケーシングカバー７ａで形成されたスクロール空間及び下ファンケーシング８ｄと下ファンケーシングカバー７ｃで形成されたスクロール空間に吸込まれる空気を吸気する吸気口６１が構成される。図示しないが、同様に前面パネル３と側面カバー５の前方の凹部５ｃでも吸気口が構成される。
【００９５】
（空気清浄機の動作）
次に図１４を用いて空気清浄機１００の動作を説明する。図１４は本発明の実施の形態１に係る空気清浄機の概略ブロック図である。
【００９６】
制御基板４９にはマイコン４９ａが実装され、図示しない基板上に設けられた配線パターンと実装された電子部品で出力回路４９ｂ等の制御回路が構成されている。
【００９７】
出力回路４９ｂは上方ファンユニット９、下方ファンユニット１０、前側ルーバー駆動モータ５４ａ、後側ルーバー駆動モータ５４ｂ、ステッピングモータ（駆動モータ）８２に接続されている。
【００９８】
空気清浄機１００を稼働させるとき、まず、電源コード５５の図示しないプラグをコンセントに挿入すると、位置検出手段８０ａ、８０ｂ、８０ｃが、本体１が正面を向いた状態であるかを検出する。
【００９９】
本体１が基準の状態、つまり正面を向いた状態でなければ、マイコン４９ａがステッピングモータ（駆動モータ）８２を駆動させ本体１が正面を向くように本体１を回動させる。本体１が正面を向くと待機状態となる。本体１が正面を向いた状態であった場合は、そのまま待機状態となる。
【０１００】
待機状態から使用者が操作スイッチ４３を操作すると、操作基板ユニット４２を介して入力信号が制御基板４９のマイコン４９ａに送られる。前側ルーバー駆動モータ５４ａと後側ルーバー駆動モータ５４ｂが駆動し、前側ルーバー６２と後側ルーバー６３が、送出される空気を前方斜め上方の方向に送風するように開く。
【０１０１】
その後、上方ファンユニット９及び下方ファンユニット１０が駆動し、空気の吸込みを開始する。外部の空気は、前面パネル３と側面カバー４の前方の凹部４ｃで構成された吸気口６１と、前面パネル３と側面カバー５の前方の凹部５ｃで構成された図示しない吸気口から吸込まれる。吸込まれた空気は、プレフィルター３６ａ、３６ｂとＨＥＰＡフィルター３５と脱臭フィルター３４を経由し浄化される。浄化された空気は、上方ファンガード３２と上ファンケーシングカバー開口７ｂを通過して上方ファンユニット９へ、下方ファンガード３３と下ファンケーシングカバー開口７ｄを通過して下方ファンユニット１０へ吸込まれる。
【０１０２】
上方ファンユニット９及び下方ファンユニット１０に吸込まれた浄化された空気は、前側送出口６４および後側送出口６５から送出され、ガードネット３１を通過し、前側ルーバー６２および後側ルーバー６３により前方斜め上方の方向に送風される。
【０１０３】
さらに、その後、人検出センサー４５がセンシングを開始し、空気清浄機１００が置かれている居室内に人が居るか否かを検出する。人が居ることが検出できなかった場合、マイコン４９ａは本体１を回動させず、送出した空気をより遠くまで到達させるべく、前側ルーバー６２及び後側ルーバー６３が前方斜め上方約４５度を向くように前側ルーバー駆動モータ５４ａと後側ルーバー駆動モータ５４ｂを駆動させる。
【０１０４】
人検出センサー４５は人が居ることを検出したら、その人がいる位置の情報に関する信号を、操作基板ユニット４２を介して制御基板４９のマイコン４９ａに送る。マイコン４９ａはその位置情報に基づき、人がいる方向へ送風が向くように本体１を回動させるため、ステッピングモータ（駆動モータ）８２を駆動させる。
【０１０５】
ステッピングモータ（駆動モータ）８２が駆動すると、ステッピングモータ（駆動モータ）８２と連結した連結軸８３に取り付けられたピニオンギア８４が回転する。そのピニオンギア８４がラックギア７２との噛み合いにより回転しながら移動する。
【０１０６】
ピニオンギア８４の移動に伴い、下部本体ケース２９は、回動中心軸７６を中心として回動する。本体１は下部本体ケース２９に締結されているので、下部本体ケース２９の回動に追従して本体１が支持台２に対して回動する。そうして、本体１は人がいる位置の方向に前面パネルが向き、人がいる方向へ送風が向くようになる。
【０１０７】
そして、送出した空気が人に直接当たらないよう、前側ルーバー６２及び後側ルーバー６３が上方約９０度を向くように前側ルーバー駆動モータ５４ａと後側ルーバー駆動モータ５４ｂを駆動させる。なお、人検出センサー４５の動作タイミングは本体１が正面を向いた後で上方ファンユニット９および下方ファンユニット１０が駆動する前でも良い。
【０１０８】
以上のように本発明の実施の形態１に係る空気清浄機は、後面カバーを取り付けるネジは側面カバーによって覆われ、外観から視認できなくなる。側面カバーを取り付けるネジは前面パネルによって覆われ、外観から視認できなくなる。よって、後面、側面、前面の４面方向から見たときにネジが見えることがない外観とすることができ、意匠性が向上する。
【産業上の利用可能性】
【０１０９】
この発明は、例えば室内の空気を清浄する空気清浄機に利用できる。
【符号の説明】
【０１１０】
１  本体、２  支持台、３  前面パネル、４  側面カバー、４ａ  手掛け部、４ｂ  意匠シート、４ｃ  凹部、４ｄ  係合片、４ｅ  係合片、４ｆ  係合片、４ｇ  係合片、４ｈ  係合片、４ｊ  係合片、４ｋ  係合片開口（第１の開口）、４ｍ  係合片開口（第１の開口）、４ｎ  係合片開口（第１の開口）、４ｐ  係合片開口（第１の開口）、４ｑ  係合片開口（第１の開口）、４ｒ  係合片開口（第１の開口）、４ｓ  ネジ受け部、４ｔ  手掛け部壁面、４ｕ  ネジ受け部、４ｖ  ネジ受け部、５  側面カバー、５ａ  手掛け部、５ｂ  意匠シート、５ｃ  凹部、６  後面カバー、６ａ  ネジ受け部、６ｂ  スリット状開口（第２の開口）、６ｃ  スリット状開口（第２の開口）、６ｄ  スリット状開口（第２の開口）、６ｅ  スリット状開口（第２の開口）、６ｆ  スリット状開口（第２の開口）、６ｇ  スリット状開口（第２の開口）、６ｈ  突起部、６ｊ  突起部、６ｋ  突起部、６ｍ  突起部、６ｎ  突起部、６ｐ  突起部、７  前部本体ケース、８  後部本体ケース、７ａ  上ファンケーシングカバー、７ｂ  上ファンケーシングカバー開口、７ｃ  下ファンケーシングカバー、７ｄ  下ファンケーシングカバー開口、８ａ  上ファンケーシング、８ｂ  上ファンケーシング後面板、８ｃ  上ファンケーシング後面板凹部、８ｄ  下ファンケーシング、８ｅ  下ファンケーシング後面板、８ｆ  下ファンケーシング後面板凹部、９  上方ファンユニット、１０  下方ファンユニット、１１  ネジ（締結部品）、１１ａ  ネジ頭、１２  本体ケース、１２ａ  ネジ座、２１  ファン、２２  ファン用モータ、２２ａ  ファン用モータ回転軸、２３  モータ保持部材、２４  ファン、２５  ファン用モータ、２５ａ  ファン用モータ回転軸、２６  モータ保持部材、２７ａ  ワッシャー、２７ｂ  ワッシャー、２８  ナット、２９  下部本体ケース、２９ａ  駆動ユニット支持部、２９ｂ  位置検出手段保持部、２９ｃ  位置検出手段保持部、２９ｄ  位置検出手段保持部、２９ｅ  本体側車輪保持部、２９ｆ  回動中心軸受け、２９ｇ  フランジ、２９ｈ  フランジ、３１  ガードネット、３２  上方ファンガード、３３  下方ファンガード、３４  脱臭フィルター、３５  ＨＥＰＡフィルター、３６ａ  プレフィルター、３６ｂ  プレフィルター、４０  上部ユニット、４１  操作表示部、４２  操作基板ユニット、４３  操作スイッチ、４４  意匠シート、４５  人検出センサー、４６  制御基板ユニット、４７  カバー、４８  基板ケース、４９  制御基板、４９ａ  マイコン、４９ｂ  出力回路、５０  基板ケース、５１  カバー、５２  リード線カバー、５３  空間、５４ａ  前側ルーバー駆動モータ、５４ｂ  後側ルーバー駆動モータ、５５  電源コード、６１  吸気口、６２  前側ルーバー、６３  後側ルーバー、６４  前側送出口、６５  後側送出口、６６  通風路、７１  ベース台、７１ａ  摺動板押さえ保持部、７１ｂ  遮断壁、７１ｃ  位置検出用スリット、７１ｄ  位置検出用スリット、７１ｅ  位置検出用スリット、７１ｆ  支持台側車輪保持部、７１ｇ  段部、７１ｈ  環状凹部、７１ｊ  凹部、７１ｋ  底面、７２  ラックギア、７３  回動中心軸ガイド、７４  摺動板、７４ａ  開口、７４ｂ  縁部、７５  摺動板押さえ、７６  回動中心軸、７６ａ  溝状凹部、７７  本体側車��（第１の車輪）、７８  支持台側車輪（第２の車輪）、７９  ストッパー、８０ａ  位置検出手段、８０ｂ  位置検出手段、８０ｃ  位置検出手段、８１  本体回動駆動ユニット、８２  ステッピングモータ（駆動モータ）、８３  連結軸、８４  ピニオンギア、８５  軸受け、８６  保持部材、１００  空気清浄機
【図１】
2016147515.tif 000003
【図２】
2016147515.tif 000004
【図３】
2016147515.tif 000005
【図４】
2016147515.tif 000006
【図５】
2016147515.tif 000007
【図６】
2016147515.tif 000008
【図７】
2016147515.tif 000009
【図８】
2016147515.tif 000010
【図９】
2016147515.tif 000011
【図１０】
2016147515.tif 000012
【図１１】
2016147515.tif 000013
【図１２】
2016147515.tif 000014
【図１３】
2016147515.tif 000015
【図１４】
2016147515.tif 000016
【国際調査報告】
2016147515.tif 000017
2016147515.tif 000018
2016147515.tif 000019
2016147515.tif 000020